(57)【要約】【課題】ボ−ルカップリングに関し、特に、自動工具交換装置や工作機械において、モ−タ−とボ−ルねじを結合する時に使用するボ−ルカップリングに関する。【解決手段】一方の軸１と他方の軸２とを連結するに当り、一方の軸１の先端部と、他方の軸２の先端部に固定された円筒体４と、それらの間に介在するボ−ル３とでなり、円筒体４は先端の大径部分６とそれに後続する小径部分７とで構成し、大径部分６には、一方の軸１を挿入する軸挿入穴１０を設け、大径部分６の内周壁には、ボ−ル３を受入れる複数のボ−ル穴１１を設け、一方の軸１を軸挿入穴１０に挿入した時、ボ−ル穴１１と対向する位置で、挿入された一方の軸１の外周にボ−ル縦溝５を設け、ボ−ル縦溝５は、一方の軸１の先端まで伸長させ、ボ−ル穴１１に回転しない状態でほぼ半球部分を嵌め込まれたボ−ル３は、残りのほぼ半球がそれに対向するボ−ル縦溝５内に位置づけられる。【選択図】図２
0003130204.tif 000002
【実用新案登録請求の範囲】
【請求項１】
一方の軸（１）と他方の軸（２）とを連結するに当り、一方の軸（１）の先端部と、他方の軸（２）の先端部に固定された円筒体（４）と、それらの間に介在するボ−ル（３）とでなり、円筒体（４）は先端の大径部分（６）とそれに後続する小径部分（７）とで構成し、大径部分（６）に、一方の軸（１）を挿入する軸挿入穴（１０）を設け、大径部分（６）の内周壁に、ボ−ル（３）を受入れる複数のボ−ル穴（１１）を設け、一方の軸（１）を軸挿入穴（１０）に挿入した時、ボ−ル穴（１１）と対向する位置で一方の軸（１）の外周にボ−ル縦溝（５）を設け、そのボ−ル縦溝（５）は一方の軸（１）の先端まで伸長し、ボ−ル穴（１１）に回転しない状態で嵌め込まれたボ−ル（３）は、その一部分がそれに対向するボ−ル縦溝（５）内に位置づけられ、他方の軸（２）の先端部に固定された円筒体（４）と一方の軸（１）との間でわずかな前後動を可能にしたボ−ルカップリング。
【請求項２】
円筒体（４）の大径部分（６）の先端内側に環状リング溝（８）を設け、その環状リング溝（８）にごみ止め用リング（９）を嵌めてなる、請求項１記載のボ−ルカップリング。
【考案の詳細な説明】
【技術分野】
【０００１】  本考案は、ボ−ルカップリングに関し、特に、自動工具交換装置や工作機械において、モ−タ−とボ−ルねじを結合する時に使用するボ−ルカップリングに関する。
【背景技術】
【０００２】  従来から軸接ぎ手を使用して二軸を連接する技術は種々開発されてきた。一方の軸に対し他方の軸を連接させるためにキ−などを使用してきたが、本考案はボ−ルカップリングであって、従来から使用されてきたキ−に変えて、ボ−ルを使用するものであり、そのボ−ルを軸接手のキ−の代わりに適用するものである。【０００３】  このようなボ−ルカップリングにおいて、取り付けを簡単にすることは、特に重要である。
【特許文献１】    なし
【非特許文献１】    なし
【考案の開示】
【考案が解決しようとする課題】
【０００４】  自動工具交換装置や工作機械のモ−タ−とボ−ルねじを結合する場所に使用するボ−ルカップリングにおいて、取り付けが簡単にできることを第一の課題とする。
また、一方の軸と他方の軸とを心合わせし、他方の軸の先端部に固定された円筒体に対して一方の軸がわずかな前後動をなし得ることを第二の課題とする。
【課題を解決するための手段】
【０００５】  本考案は、一方の軸（１）と他方の軸（２）とを連結するに当り、一方の軸（１）の先端部と、他方の軸（２）の先端部に固定された円筒体（４）と、それらの間に介在するボ−ル（３）とでなり、円筒体（４）は先端の大径部分（６）とそれに後続する小径部分（７）とで構成し、大径部分（６）に、一方の軸（１）を挿入する軸挿入穴（１０）を設け、大径部分（６）の内周壁に、ボ−ル（３）を受入れる複数のボ−ル穴（１１）を設け、一方の軸（１）を軸挿入穴（１０）に挿入した時、ボ−ル穴（１１）と対向する位置で一方の軸（１）の外周にボ−ル縦溝（５）を設け、そのボ−ル縦溝（５）は一方の軸（１）の先端まで伸長し、ボ−ル穴（１１）に回転しない状態で嵌め込まれたボ−ル（３）は、その一部分がそれに対向するボ−ル縦溝（５）内に位置づけられ、他方の軸（２）の先端部に固定された円筒体（４）に対して一方の軸（１）がわずかな前後動をなし得るボ−ルカップリングである。
また、円筒体（４）の大径部分（６）の先端内側に環状リング溝（８）を設け、その環状リング溝（８）にごみ止め用リング（９）を嵌めたことを上記のボ−ルカップリングに付加したボ−ルカップリングである。
【考案の効果】
【０００６】  大径部分６の内周壁に、ボ−ル３を受入れる複数のボ−ル穴１１を形成する場合、それぞれのボ−ル穴１１の真向かいの位置で大径部分６の内周壁に、ボ−ル穴１１を形成するための工具挿入孔１２を設けているので、ボ−ル穴１１を容易に形成することができる。そのボ−ル穴１１と対向して位置するボ−ル縦溝５は、一方の軸１の先端まで伸長するので、ボ−ル穴１１にボ−ル３を嵌め込んだ状態で一方の軸１を容易に挿入でき、組み立て取り付けを簡単にすることができる効果がある。
また、ボ−ル穴１１に回転しない状態で嵌め込まれたボ−ル３を、そのほぼ半球がそれに対向するボ−ル縦溝５内に位置づけたとき、他方の軸２の先端部に固定された円筒体４に対して一方の軸１がわずかな前後動をなし得る効果がある。
【考案を実施するための最良の形態】
【０００７】  本考案では、一方の軸１の先端部と他方の軸２の先端部とを結合するのに、他方の軸２の頭部となる円筒体４を使って、ボ−ル３の全球部分で一方の軸１と円筒体４とを確実に連結し得るので、少ない部品で容易に組立や分解ができる。全体的に見て、部品の数が少なくてすむ。軸の口径が決まれば円筒体４の選択が可能であり、それに従い、必要な伝達力に応じてボ−ル３の寸法も容易に決め得る。
【実施例１】
【０００８】  図１は、３個のボ−ルを使用した本考案のボ−ルカップリング部の横断面図であり、図２は、本考案のボ−ルカップリング部の縦断面図であって、２個のボ−ルを通るように切ってとった断面図である。
図２に示すように、本考案のボ−ルカップリングは一方の軸１と他方の軸２とを連結するに当り、一方の軸１の先端部と、他方の軸２の先端部に固定された円筒体４と、それらの間に介在するボ−ル３とでなる。その円筒体４は先端の大径部分６とそれに後続する小径部分７とで構成する。大径部分６には、一方の軸１を挿入する軸挿入穴１０を設ける。大径部分６の内周壁には、ボ−ル３を受入れる３個のボ−ル穴１１を等間隔をおいて設ける。
一方の軸１を軸挿入穴１０に挿入した時、ボ−ル穴１１と対向する位置で、挿入された一方の軸１の外周にボ−ル縦溝５を設ける。そのボ−ル縦溝５は、一方の軸１の先端まで伸長させる。ボ−ル穴１１に回転しない不動状態でほぼ半球部分を嵌め込まれたボ−ル３は、残りのほぼ半球がそれに対向するボ−ル縦溝５内に位置づけられる。この状態で一方の軸１がボ−ル縦溝５に沿って前後方向へ移動できる距離は約５ｍｍである。
【実施例２】
【０００９】  この実施例は、図２に示すように、実施例１の構成に加えて、円筒体（４）の大径部分（６）の先端内側に環状リング溝（８）を設け、その環状リング溝（８）にごみ止め用リング（９）を嵌めたボ−ルカップリングである。
【図面の簡単な説明】
【００１０】
【図１】  ボ−ルの位置における本考案のボ−ルカップリング部の横断面図であって、３個のボ−ルを使用した例である。
【図２】  本考案のボ−ルカップリング部の縦断面図であって、２個のボ−ルを通るように切ってとった断面図である。
【符号の説明】
【００１１】１    一方の軸
２    他方の軸
３    ボ−ル
４    他方の軸の頭部となる円筒体
５    ボ−ル溝
６    円筒体の大径部分
７    円筒体の小径部分
８    環状リング溝
９    ごみ止め用リング
１０  軸挿入穴
１１  ボ−ル穴
１２  ボ−ル穴を形成するための工具挿入孔
【図１】
0003130204.tif 000003
【図２】
0003130204.tif 000004